(57)【要約】【課題】  重量的にバランスがよく、かつ温度上昇を抑制した照明器具を提供し、円滑な昇降を行うことができると共に熱的な課題を改良し、かつ施工性に優れた昇降装置付き照明装置を提供する。【解決手段】  複数の光源１１と、光源１１を各々対応して点灯する複数の安定器１２と、略円筒状をなすと共に複数の安定器１２全ての重心Ｇを円筒中心軸Ｘ−Ｘに略位置させた安定器収納体１３と、安定器収納体１３の一端部に設けられ複数の光源１１の光を制御する反射鏡１４とを具備する照明器具１０を構成する。【選択図】        図２
2007035351.tif 000002
【特許請求の範囲】
【請求項１】
複数の光源と；
光源を各々対応して点灯する複数の安定器と；
略円筒状をなすと共に複数の安定器全ての重心を円筒中心軸に略位置させた安定器収納体と；
安定器収納体の一端部に設けられ複数の光源の光を制御する反射鏡と；
を具備することを特徴とする照明器具。
【請求項２】
前記安定器収納体は、複数の安定器を円周に沿って略等間隔に配置し重心を円筒中心軸に略位置させると共に、安定器及び光源の長手方向を円筒中心軸と略平行に位置させて収納したことを特徴とする請求項１に記載の照明器具。
【請求項３】
前記安定器収納体は、円筒外縁部を傾斜させてガイド部を形成したことを特徴とする請求項１または２に記載の照明器具。
【請求項４】
前記安定器収納体は、安定器と光源との間に複数の遮熱板を介在させたことを特徴とする請求項１ないし３いずれか一に記載の照明器具。
【請求項５】
前記安定器収納体は、その外側面に安定器に対応して円周方向に略沿う複数の長孔からなる第１の放熱孔を形成すると共に、光源の支持部に連通して第２の放熱孔を形成したことを特徴とする請求項１ないし４いずれか一に記載の照明器具。
【請求項６】
請求項１ないし５いずれか一に記載の照明器具と；
照明器具を昇降させる昇降装置と；
昇降装置により照明器具を収納する装置本体と；
装置本体外側面の略中間部に設けた取付部材と；
を具備し、取付部材により装置本体の略中間部を吊りボルトで支持するようにしたことを特徴とする昇降装置付き照明装置。
【発明の詳細な説明】
【技術分野】
【０００１】
本発明は、天井等に設置される照明器具及び昇降装置付き照明装置に関する。
【背景技術】
【０００２】
この種の照明装置は、ダウンライト形の照明装置としてスポット的な照明効果を演出することができると共に、器具自体が天井裏に収納され、外観、意匠的にも優れており、各種の店舗、オフィス、エントランスホール等、あらゆる場所に設置され一段と普及が進んでいる。
【０００３】
特に、多目的ホール等、吹き抜けのある高天井に設置されることも多く、高天井に設置されるダウンライト形の照明装置の場合には、ランプ交換等、メンテナンスの面から昇降装置付きの照明装置が多用されている（例えば、特許文献1参照）。
【０００４】
この昇降装置付き照明装置においては、従来光源としてＨＩＤランプを用い安定器を昇降装置側に設置して、照明器具側のランプを点灯していたが、近年、蛍光ランプが小形、高出力化し、また安定器も小形化されてきていることなどから、光源として従来のＨＩＤランプに代えてコンパクト形蛍光ランプを複数本用い、安定器も照明器具側に備えたものが設置されるようになっている。
【０００５】
図１４（ａ）に示されるものは、従来における蛍光ランプを３本使用した多灯式の昇降装置付き照明装置を示すもので、天井板に穿設された天井取付孔１に埋め込んで取付けられる枠状をなす装置本体２と、昇降装置３及び昇降装置により装置本体２から昇降される照明器具４からなり、照明器具４は３本のコンパクト形蛍光ランプ５、反射鏡６及び安定器７を収納する安定器ボックス８で構成されている。
【特許文献１】特開平１１−３９９２８号公報
【発明の開示】
【発明が解決しようとする課題】
【０００６】
しかしながら、図１４（ａ）に示される照明器具４は、３本のコンパクト形蛍光ランプ５を点灯制御するための安定器７は、１灯用安定器７ａと２灯用安定器７ｂの、２個の安定器で構成し、角筒形の安定器ボックス８内に左右に分離して収納されている（図１４（ｂ）参照）。なお、図中９は、昇降装置３と照明器具４を連結するワイヤーである。
【０００７】
このため、大きさ及び重さの異なる２個の安定器が左右に分離されていることから、安定器ボックスの重心Ｇが、大きく重い２灯用安定器側にずれるため、照明器具全体のバランスが悪くなり、昇降の際に照明器具が傾き、天井取付孔１や装置本体２の内面に引っ掛かり、照明器具の昇降が円滑に行えない問題が生じる。
【０００８】
さらに、安定器ボックスは、角筒形をなしており、その各々の角部分が外方に突出した形状をなしており、突出した角部分が天井取付孔１や装置本体２の内面に引っ掛かる恐れもあり、照明器具の昇降が円滑に行えない問題も生じる。
【０００９】
また、照明器具は安定器を内蔵した安定器ボックスを縦方向に備えているために、照明器具全体の高さ寸法が高くなり、天井裏のスラブ等に設置される吊りボルトへの取付けの際、器具の高さが高くなることから、手が器具の天板に届き難くなって吊りボルトに固定するための施工がし難くなる問題も生じている。
【００１０】
これらの問題は、昇降装置を有さないダウンライト形の照明装置、すなわち手作業で持ち上げて天井裏に設置するタイプの照明装置においても、重量的にバランスが悪く、角筒形の形状をなす照明器具は、天井取付孔１や器具本体２の内面に引っ掛かり易く、手での設置作業が円滑に行えない同様の問題が生じる。また器具の高さが高くなることから手が器具の天板に届き難くなって、施工がし難くなる問題も生じる。
【００１１】
一方、この種の多灯式の照明器具においては、ランプが複数本あり、また安定器も複数個あるために、ランプ及び安定器から発生する熱量も多く、如何に照明器具内の温度上昇を抑制させるかが重要な課題となっている。
【００１２】
本発明は、上述した問題、課題を解決することを目的とし、重量的にバランスがよく、かつ温度上昇を抑制した照明器具を提供し、円滑な昇降を行うことができると共に熱的な課題を改良し、かつ施工性に優れた昇降装置付き照明装置を提供しようとするものである。
【課題を解決するための手段】
【００１３】
請求項１に記載の照明器具の発明は、複数の光源と；光源を各々対応して点灯する複数の安定器と；略円筒状をなすと共に複数の安定器全ての重心を円筒中心軸に略位置させた安定器収納体と；安定器収納体の一端部に設けられ複数の光源の光を制御する反射鏡と；を具備することを特徴とする。
【００１４】
請求項１の発明によれば、複数の安定器全ての重心を円筒中心軸に略位置させることにより、重量的にバランスのよい照明器具が構成される。
【００１５】
さらに安定器収納体を円筒状に構成することにより引っ掛かりの少ない形態の照明器具が構成される。
【００１６】
本発明において、複数の光源は、コンパクト形蛍光ランプや電球形蛍光ランプ等の蛍光ランプ、メタルハライドランプや水銀灯などの高圧放電ランプ、さらには白熱電球などを許容する。
【００１７】
光源を各々対応して点灯する複数の安定器は、同一仕様、同一形状及び同一重量をなし
ていることが好ましいが、仕様、形状及び重量が同一であることが必要条件ではなく、それぞれが異なっていてもよく、これら異なる複数の安定器の重心を調整して、安定器収納体の円筒中心軸に略位置させればよい。
【００１８】
略円筒状をなす安定器収納体は、籠状をなした円筒のボックス形状をなしていることが
好ましいが、円筒の骨組みを枠で構成した枠体をなしていてもよく、円筒を構成する手段は、特に限定されない。
【００１９】
本発明の照明器具は、昇降装置付きの照明装置に使用されるダウンライト形等の照明器
具でも、また昇降装置を有さない照明装置に使用される照明器具であってもよい。
【００２０】
請求項２に記載の発明は、請求項１に記載の照明器具において、前記安定器収納体は、
複数の安定器を円周に沿って略等間隔に配置し重心を円筒中心軸に略位置させると共に、安定器及び光源の長手方向を円筒中心軸と略平行に位置させて収納したことを特徴とする。  
【００２１】
請求項２の発明によれば、複数の安定器を円周に沿って略等間隔に配置し重心を円筒中心軸に略位置させることにより、重量的にバランスのよい照明器具が構成される。
【００２２】
また、複数の安定器及び光源の長手方向を円筒中心軸と略平行に位置させて収納したことにより、縦長の引っ掛かりの少ない形態の照明器具が構成される。
【００２３】
安定器収納体に複数の安定器を円周に沿って略等間隔に配置することは、重心を円筒中心軸に位置させるための手段で、各間隔寸法が正確に等しく構成されていることが条件ではなく、重心が円筒中心軸に略位置する範囲内で各間隔寸法が異なっていてもよい。さらに重心においても正確に円筒中心軸に位置していなくても、許容されるバランスの範囲内で、重心が円筒中心軸に、概略的に位置していればよい。
【００２４】
請求項３に記載の発明は、請求項１または２に記載の照明器具において、前記安定器収
納体は、円筒外縁部を傾斜させてガイド部を形成したことを特徴とする。
【００２５】
請求項３の発明によれば、円筒外縁部を傾斜させてガイド部を形成したことにより、引っ掛かりの少ない形態の照明器具が構成される。
【００２６】
ガイド部は、円筒の上端の外縁部及び下端の外縁部に形成することが好ましいが、上端、下端のいずれか一方に形成したものでもよい。
【００２７】
請求項４に記載の発明は、請求項１ないし３いずれか一に記載の照明器具において、前記安定器収納体は、安定器と光源との間に複数の遮熱板を介在させたことを特徴とする。
【００２８】
請求項４の発明によれば、安定器と光源との間に複数の遮熱板を介在させたことにより、遮熱を良好にして温度上昇を抑制した照明器具が構成される。
【００２９】
請求項５に記載の発明は、請求項１ないし４いずれか一に記載の照明器具において、前記安定器収納体は、その外側面に安定器に対応して円周方向に略沿う複数の長孔からなる第１の放熱孔を形成すると共に、光源の支持部に連通して第２の放熱孔を形成したことを特徴とする。
【００３０】
請求項５の発明によれば、安定器に対応して円周方向に略沿う複数の長孔からなる第１の放熱孔を形成すると共に、光源の支持部に連通して第２の放熱孔を形成したことにより、放熱特性を良好にして温度上昇を抑制すると共に、引っ掛かりの少ない形態の照明器具が構成される。
【００３１】
円周方向に略沿う複数の長孔は、矩形をなした形状でも、横に長い略楕円形状に構成したものでもよく、長孔の形状には特に限定されない。また長孔が円周方向に完全に沿っている必要はなく、多少傾斜して沿っていてもよく、要は放熱特性が良好で、かつ引っ掛かりの少ない形態であればよい。
【００３２】
請求項６に記載の昇降装置付き照明装置の発明は、請求項１ないし５いずれか一に記載の照明器具と；照明器具を昇降させる昇降装置と；昇降装置により照明器具を収納する装置本体と；装置本体外側面の略中間部に設けた取付部材と；を具備し、取付部材により装置本体の略中間部を吊りボルトで支持するようにしたことを特徴とする。
【００３３】
請求項６の発明によれば、円滑な昇降を行うことができると共に、熱的な課題を改良し、かつ取付部材により器具本体の略中間部を吊りボルトで支持するようにしたことにより、施工性に優れた昇降装置付き照明装置が構成される。
【発明の効果】
【００３４】
請求項１の発明によれば、安定器収納体を円筒状に構成し、複数の安定器全ての重心を円筒中心軸に略位置させることにより、重量的にバランスがよく、かつ引っ掛かりの少ない形態の照明器具を提供することができ、さらに円滑な昇降を行う昇降装置付き照明装置に好適な照明器具が提供される。
【００３５】
請求項２の発明によれば、複数の安定器を円周に沿って略等間隔に配置し重心を円筒中心軸に略位置させることにより、重量的にバランスのよい照明器具を提供することができる。
【００３６】
また、複数の安定器及び光源の長手方向を円筒中心軸と略平行に位置させて収納したことにより、縦長の引っ掛かりの少ない形態の照明器具を提供することができる。
【００３７】
請求項３の発明によれば、円筒外縁部を傾斜させてガイド部を形成したことにより、引っ掛かりの少ない形態の照明器具を提供することができる。
【００３８】
請求項４の発明によれば、安定器と光源との間に複数の遮熱板を介在させたことにより、遮熱を良好にして温度上昇を抑制した照明器具を提供することができ、さらに熱的な課題を改良する昇降装置付き照明装置に好適な照明器具が提供される。
【００３９】
請求項５の発明によれば、安定器に対応して円周方向に略沿う複数の長孔からなる第１の放熱孔を形成すると共に、光源の支持部に連通して第２の放熱孔を形成したことにより、放熱特性を良好にして温度上昇を抑制すると共に、引っ掛かりの少ない形態の照明器具を提供することができる。
【００４０】
請求項６の発明によれば、円滑な昇降を行うことができると共に、熱的な課題を改良し、かつ取付部材により器具本体の略中間部を吊りボルトで支持するようにしたことにより、施工性に優れた昇降装置付き照明装置を提供することができる。
【発明を実施するための最良の形態】
【００４１】
以下、本発明の照明器具及び昇降装置付き照明装置の実施形態につき説明する。
【実施例１】
【００４２】
まず、図１〜図６に従い照明器具の構成につき説明する。
【００４３】
１０は照明器具で、３個の光源１１、３個の光源に各々対応して設けられた３個の安定器１２、３個の安定器を収納する安定器収納体１３及び安定器収納体の下端部に設けられた反射鏡１４で構成する。
【００４４】
３個の光源１１は、同一仕様の公知のコンパクト形蛍光ランプ、例えば，型名ＦＨＴ４２ＥＸ−Ｎ、発光長が１５０ｍｍ、定格電力４２Ｗのコンパクト形蛍光ランプ（以下単に「ランプ」と称す）で構成する。
【００４５】
３個の安定器１２は、３個のランプ１１に各々対応した１灯用の安定器で、ランプを点灯及び調光するためのインバータ等からなる電子安定器で構成し、各安定器は縦に長い直方体の金属ケース１２ａを有し、同一の回路仕様で、同一形状及び同一の重量を有している。
【００４６】
安定器収納体１３は、鉄、ステンレスやアルミニウム等の金属で構成した上端及び下端を開放した円筒状の本体ケース１３ａと、上端開放部に設けられた上蓋体１３ｂ及び下端
開放部に設けられた下蓋体１３ｃで構成する。
【００４７】
上蓋体１３ｂは、鉄、ステンレスやアルミニウム等の金属で構成し、円筒状の本体ケース１３ａの上端開放部に嵌合してネジ等で固定する。また、その外縁部は傾斜させて皿状に形成しガイド部１３ｄを形成し、さらに上面には支持板１３ｅを一体に取付け、支持板の両側に開口部１３ｆ、１３ｆを形成する（図３）。
【００４８】
下蓋体１３ｃも、鉄、ステンレスやアルミニウム等の金属で構成し、円筒状の本体ケース１３ａの下端開放部に嵌合してネジ等で固定する。また、その外縁部は傾斜させて皿状に形成しガイド部１３ｄを形成し、さらに下蓋体１３ｃの下面は開口部１３ｇを形成する。
【００４９】
これにより、安定器収納体１３は円筒状をなし、その円筒の上端及び下端に傾斜したガイド部１３ｄ、１３ｄを有して構成される。
【００５０】
本体ケース１３ａの外側面には、円周方向に略沿う複数の長孔からなる第１の放熱孔１３ｈを形成すると共に、下方外側面に第２の放熱孔１３ｉを形成する。
【００５１】
図６に示すように、長孔からなる第１の放熱孔１３ｈは、横約３０ｍｍ、縦約７ｍｍの角孔を８列形成する。各角孔の縦方向の間隔寸法ａは約７ｍｍとなし、角孔は合計８８個が形成されている。なお、背面も同様の構成をなしており、第１の放熱孔１３ｈは、総数１７６個の角孔で形成される。
【００５２】
これら第１の放熱孔１３ｈの形状、寸法及び配列は、安定器１２の熱を効率よく放熱させると共に、照明器具を昇降装置によって照明装置本体へ収納する操作の際に、放熱孔が突出物に引っ掛かり難い寸法及び配列に構成した。
【００５３】
下方外側面に形成した第２の放熱孔１３ｉは、横約６０ｍｍ、縦約４０ｍｍの角孔を３列形成する。各第２の放熱孔１３ｉと最下段に位置する第１の角孔１３ｈとの間隔寸法ｂは、約８ｍｍとなす。背面も同様の構成をなしており、第２の放熱孔１３ｉは、総数６個の角孔で形成される。
【００５４】
なお、本体ケース１３ａの高さ寸法ｃは約２２８ｍｍ、円筒の直径寸法ｄは約１９５ｍｍに構成した。
【００５５】
円筒状をなす安定器収納体１３の内部には、第１の遮熱板１３ｊ及び第１の遮熱板と間隔を有して第２の遮熱板１３ｋを設ける。
【００５６】
第１、第２の遮熱板１３ｊ、１３ｋは、鉄、ステンレスやアルミニウム等の金属で円板
状に形成し、同じく金属で構成した支柱１３Ｌにネジ止め等をして、両者が所定の間隔を有するように構成する。
【００５７】
上記に構成した第１、第２の遮熱板１３ｊ、１３ｋは、第１の遮熱板が本体ケース１３
ａの最下段に位置する上記第１の放熱孔１３ｈの上方に位置し、第２の遮熱板を第２の放熱孔１３ｉの略中間に位置する高さにして設置し（図１）、第２の遮熱板の底面を支柱を介し下蓋体１３ｃ内面にネジ止め等を行って支持させる。
【００５８】
上記のように支持された第１の遮熱板１３ｊの上面には、３枚の支持板１３ｍを取付け
る。すなわち、３枚の支持板はアングル状をなした金属板で構成し、円筒状をなす本体ケース１３ａの円周に沿って等間隔に、１２０度の角度毎に配置し、その上端を上蓋体１３
ｂの上端部内面にネジ止め等で固定し、下端を第１の遮熱板１３ｊの上面にネジ止め等で固定する。
【００５９】
上記のように支持した３枚の支持板１３ｍに、３個の安定器１２を１個ずつ取付ける。すなわち、安定器の縦に長い直方体からなる金属ケース１２ａを、縦にして支持板１３ｍにそれぞれネジ等を用いて固定する。
【００６０】
これにより、３個の安定器１２は、円筒をなす安定器収納体１３内の円周に沿って略等間隔に正三角形に配置され（図４）、さらに、各安定器１２は同一形状及び同一の重量を有しているので、正三角形の中心を安定器収納体１３の中心に位置させることにより、安定器収納体１３の重心Ｇが、安定器収納体の円筒中心軸Ｘ−Ｘ上に略位置し、重心が左右にずれていないため、円筒縦長の安定器収納体１３はバランスがよくとれた状態となる。
【００６１】
３個の安定器１２は、その長手方向を円筒中心軸Ｘ−Ｘと略平行に位置させた状態で収納され、安定器収納体１３は、その外側面に安定器１２に対応して円周方向に略沿う複数の長孔からなる第１の放熱孔１３ｈが形成された状態となる。
【００６２】
なお、図２に概略的に示すように、安定器１２の二次側配線は金属ケース１２ａの下方から導出し、異極線Ｒ１、Ｒ２をケースの左右に分けて配線し、蛍光ランプから発生する電気的雑音の上昇を抑制すると共に、後述するランプソケットへの配線距離を短縮している。
【００６３】
また、安定器１２の一次側配線は金属ケース１２ａの上方から導出し、後述する昇降装置の昇降部との電気配線距離を短縮するように構成する。
【００６４】
円板状をなす第２の遮熱板１３ｋの下面には、円周に沿って等間隔に、１２０度の角度毎に、ランプ１１のソケット１１ａをネジ止め等の手段で固定し、ランプの支持部１５を構成する。ソケット１１ａはコンパクト形蛍光ランプ用の公知のソケットで構成する。
【００６５】
これにより、ランプの支持部１５が第２の放熱孔１３ｉに対向して位置され、支持部１５に連通して第２の放熱孔１３ｉが形成された構成となる（図１）。
【００６６】
安定器収納体１３の下端部に位置する下蓋体１３ｃの開口部１３ｇには、ランプ１１の光を制御する反射鏡１４を取付ける。反射鏡１４は、ステンレスやアルミニウム等の金属で、内面が回転放物面等をなす反射面が形成されるようにすり鉢状に構成し、底面に上記ソケット１１ａに面して３個の貫通孔１４ａを形成し、この貫通孔を介して３個のランプ１１が、１個ずつそれぞれのソケット１１ａに着脱可能に装着されるように構成する（図５）。
【００６７】
反射鏡１４はその軸線を安定器収納体１３の円筒中心軸Ｘ−Ｘ上に位置させて取付け、さらに３個のソケット１１ａ及びランプ１１は略等間隔に正三角形に配置してバランスのとれた状態で設置する。
【００６８】
これにより、バランスよく構成された安定器収納体１３と共に、反射鏡１４及びランプ１１を含めた照明器具１０全体の重心Ｇが安定器収納体１３の円筒中心軸Ｘ−Ｘ上に略位置し、バランスのよくとれた構成となる。
【００６９】
また、上記３個の安定器１２及び３個のランプ１１の長手方向が円筒中心軸Ｘ−Ｘと略
平行に位置されて収納され、径方向に嵩張らない縦長の照明器具１０が構成される。  
【００７０】
次に、上記に構成した照明器具を組み込む照明装置の構成を図７〜図１３に従い説明する。
【００７１】
２０は照明装置で、装置本体２１と、照明器具１０を装置本体内に収納するための昇降装置２２で構成する。
【００７２】
装置本体２１は、リング状をなす略円板状の天板２１ａと、開口部を有し円形リング状をなす下枠２１ｂと、天板及び下枠の略中間に位置する中枠２１ｃ、及びこれら天板、下枠、中枠をネジ止め等の手段で連結する一対２本の支柱２１ｄ、２１ｄで、全体として開放部を広く形成した円筒状の枠体をなすように構成する。
【００７３】
これら、装置本体２１を構成する天板２１ａ、中枠２１ｃ及び支柱２１ｄ、２１ｄは、鉄、ステンレスやアルミニウム等の金属で構成する。
【００７４】
下枠２１ｂは、装置本体２１を構成する枠体であると共に、縦断面がＬ字のリング状をなす形状に構成し、後述する天井３０に設置した際に、Ｌ字の下面部分が天井取付孔３０ａの切り口部に合致するように構成し、ギザギザとなって開けられた天井取付孔の開口縁部を覆い隠し、外観、意匠的に見栄えをよくする化粧枠としての機能を果す。
【００７５】
天板２１ａの上面に昇降装置２２を取付け、昇降装置の下面に昇降部２２ａを出し入れ可能に設置する。昇降部２２ａは内蔵されたモータの正逆回転による２本のワイヤーロープ２２ｂ、２２ｂの巻き上げ、巻き戻しにより昇降される。
【００７６】
昇降部２２ａには、照明装置２０の天井への施工時に、照明器具１０の安定器収納体１３の支持板１３ｅが連結され、ワイヤーロープ２２ｂ、２２ｂの巻き上げ操作によって、昇降部２２ａと共に照明器具全体を上昇させ、照明器具１０が円筒状の枠体をなす装置本体２１内に収納されるように構成される。
【００７７】
さらに、中間に位置する中枠２１ｃには、直径方向に対向して中枠と同様の金属で構成した一対の取付部材２１ｅを設ける。
【００７８】
取付部材２１ｅは、装置本体２１を天井のスラブ等に固定した吊りボルトに固定するための支持孔２１ｆを形成した取付片２１ｇを有し、取付片は一端を中枠２１ｃに軸２１ｈにより回動可能に支持し、軸２１ｈを中心に水平から中枠２１ｃに沿った垂直までの約９０度の角度範囲にわたり回動できるように構成する。支持孔２１ｆは一端を開放した長孔で構成する（図１３）。
【００７９】
なお、取付片２１ｇは、取付片に一体に形成したストッパー片２１ｉ及び中枠２１ｃの凸部と取付片２１ｇの凹部との係合作用によるロック機構２１ｊで、水平の状態に保持される。
【００８０】
図中２１ｋは、各支柱２１ｄの下端部に外方に突出して取付られた板バネで構成された支持片で、下枠２１ｃとの間で天井板を挟持して保持するためのものであり、支柱２１ｄに形成された長孔２１Ｌに沿って上下に移動させることにより、天井板の厚さに応じて支柱から外方に突出する位置が調整できるようにしてある。
【００８１】
図示しないが、電源線は昇降装置２２にあらかじめ配線されており、照明器具１０が装置本体２１内に収納されて設置されることにより、昇降部２２ａを経由して照明器具１０のソケット１１ａが電源線に接続され、各ランプ１１に電力が供給される。
【００８２】
上記により照明器具１０が装置本体２１内に収納された昇降装置付き照明装置２０が構成される。
【００８３】
上記に構成された昇降装置付き照明装置は、装置本体の高さ寸法ｈ１、すなわち、下枠２１ｂの下端から昇降装置２２の上面までの高さ寸法が約６２９ｍｍで、照明器具１０における安定器収納体１３の高さ寸法ｈ２、すなわち、安定器収納体１３の下蓋体１３ｃ下面から上蓋体１３ｂ上面までに高さ寸法が約２７１ｍｍで、安定器収納体１３の直径ｄが約１９５ｍｍの寸法に構成する（図１２）。
【００８４】
次に、上記のように構成した昇降装置付き照明装置を天井に設置する施工の手順を図９〜図１２に従い説明する。
【００８５】
あらかじめ天井裏のスラブ等に、一対２本の吊りボルト４０を所定の間隔寸法をもって設置し吊り下げておく。
【００８６】
さらに、天井３０に照明装置２０を埋め込み設置するための円形の天井取付孔３０ａを穿設する。
【００８７】
天井取付孔３０ａの直径は、装置本体２１の下枠２１ｂのＬ字部分が切り口部に合致する寸法にする。
【００８８】
まず、中枠２１ｃに取付けられた取付部材２１ｅの取付片２１ｇを回動して中枠に沿った垂直の状態にし、取付片２１ｇが装置本体２１の側面から外方に突出させない状態にする（図９）。
【００８９】
なお、取付片２１ｇを水平の状態にしたままでは、取付片が装置本体２１の側面から外方に突出して天井取付孔３０ａに引っ掛かり、装置本体２１が天井取付孔３０ａを挿通できない寸法関係に構成されている。
【００９０】
次に、装置本体２１を天井取付孔３０ａに下方から挿入し、下枠２１ｂを天井取付孔３０ａの切り口部に合致させる（図１０）。
【００９１】
このとき、支柱２１ｄ下端部の各支持片２１ｋが撓み、バネの弾性力で復帰することにより、下枠２１ｃとの間で天井板を挟持して保持する。
【００９２】
この状態で、取付部材２１ｅの取付片２１ｇを軸２１ｈを中心にして上方に回動し水平の状態にする。この際、取付片２１ｇはストッパー片２１ｉ及び凹凸によるロック機構２１ｊにより水平の状態に保持される。
【００９３】
次に、スラブに支持された一対２本の吊りボルト４０の先端を取付片２１ｇの支持孔２１ｆに挿通し、上下に設けられたナット４１をねじ込む。これにより装置本体２１の中間部分が吊りボルト４０に吊られた状態で固定される（図１０）。
【００９４】
この際、吊りボルト４０と天井取付孔３０ａが多少ずれていた場合には、支持孔２１ｆの長孔の長手寸法の範囲内で装置本体２１を水平方向に移動させて調整して支持する（図１３（ａ））。
【００９５】
これにより、装置本体２１は芯がずれて位置する吊りボルト４０に無理に支持固定されことがなく、円筒状の枠体をなす装置本体２１が変形することがなく設置される。また、器具本体２１の化粧枠となる下枠２１ｂと、天井面との間に隙間が形成されることもない
。
【００９６】
本実施形態の照明装置は、安定器１２を照明器具１０側に設置した縦長の照明器具１０を収納するために、装置本体２１の高さが高くなっており、吊りボルト４０を連結する場合に、従来の特許文献１に示されるように、装置本体２１の天板等で連結する方式の場合には、作業者の手が天板に届き難くなり施工がし難くなってしまう。
【００９７】
しかし、本実施形態では取付部材２１ｅが装置本体２１の天板ではなく支柱２１ｄの中間部に位置して設けられているので、吊りボルト４０との連結作業が比較的低い位置で行うことができ施工が容易になる。
【００９８】
次に、図１１に示すように、昇降装置２２のワイヤーロープ２２ｂを巻き戻して繰り出し、昇降部２２ａを床面４２に降ろす。
【００９９】
降ろした昇降部２２ａの底部と、あらかじめ床面に用意した照明器具１０の支持板１３ｅとの間に、連結棒４３をスプリング４４を介して２個のナット４５で上下から締め付けて連結し、照明器具１０と昇降部２２ａを一体化する。この際照明器具１０の入力端子部と昇降部２２ａの接触端子部との電気配線を行う。
【０１００】
次に、昇降装置２２のワイヤーロープ２２ｂを巻き上げ、昇降部２２ａと共に照明器具１０全体を上昇させて、照明器具を円筒状の枠体をなす装置本体２１内に収納する（図１２）。
【０１０１】
この際、バランスのよい安定器収納体１３と共に、反射鏡１４及びランプ１１を含めた照明器具１０全体がバランスのとれたよい状態となっており、昇降の際に照明器具１０が傾いたり横揺れ等を起こすことがなく、照明器具１０が装置本体２１内面に衝突したり、上昇時における昇降部２２ａと昇降装置２２との嵌合が不良になることがなく、照明器具１０と装置本体２１との機械的なロック及び電気的な接続が確実に行えて、照明装置が装置本体内に円滑かつ確実に収納し設置される。
【０１０２】
また、安定器収納体１３は円筒状をなし、その円筒の上端及び下端外縁部に位置して傾
斜したガイド部１３ｄ、１３ｄを形成したので、照明器具１０の昇降の際おいて、万が一照明器具１０と装置本体２１内面とが接触しても、引っ掛かることがなく円滑に昇降させることができる。
【０１０３】
また、装置本体２１は上記のように変形していないため、照明器具１０は円滑に装置本体２１内に収納され、従来の特許文献１の図１１Ｂに示されるように、変形した装置本体２１に照明器具１０の反射鏡１４等が嵌り込んで昇降できなくなるようなことがない。
【０１０４】
また、照明器具１０の外側面には多数の第１の放熱孔１３ｈが形成され、装置本体２１内面の突出物、例えば、取付部材２１ｅを構成する部品等が接触して引っ掛かり、作業を困難にしたり、器具の破損に繋がる恐れがある。特に風や振動等で照明器具１０が横揺れを起こしている場合に生じやすく、さらに放熱孔１３ｈが縦長の角穴の場合には、縦に長い孔がガイドに役目をなすようになってより引っ掛かり易くなる。
【０１０５】
しかし、本実施形態の放熱孔１３ｈは横長の角孔で構成したので、孔が突出物のガイドになり難い。このため照明装置１０の外面が突出物に引っ掛かる恐れが少なくなる。
【０１０６】
昇降部２２ａが昇降装置２２に機械的にロックされると、昇降部２２ａの接触端子部が昇降装置２２の端子部と電気的に接続され、昇降装置２２にあらかじめ配線された電源線
と照明器具１０のソケット１１ａが接続され、各ランプ１１に電力が供給される状態となる。
【０１０７】
以上により、反射鏡１４及びランプ１１を下方に向け、下方床面の照明を行えるようにした昇降装置付き照明装置２０が構成され施工が完了する。
【０１０８】
なお、上記のように設置された昇降装置付き照明装置において、ランプ交換や、照明器具の修理、点検を行う場合は、壁面等に別途に配線設置された昇降用スイッチの「下降」ボタンを押し、昇降装置２２を駆動してワイヤーロープ２２ｂを巻き戻して繰り出し照明器具１０を床面４２に降ろしてランプ交換等を行う。
【０１０９】
次に、上記のように天井に設置された昇降装置付き照明装置を点灯すると、点灯制御回路が作動し回路部品の温度が上昇して３個の安定器１２の温度が上昇する。同時に３個のランプ１１が点灯しランプ温度が上昇する。
【０１１０】
しかし、安定器１２に対応して円周方向に沿う複数の長孔からなる第１の放熱孔１３ｈが、縦に長い安定器１２の高さ寸法全体をカバーして上下にわたり多数形成されているので、安定器１２から発生する熱は、対流により上昇し、多数の第１の放熱孔１３ｈから外部に放熱される。さらに、上方に位置する上蓋体１３ｂの開口部１３ｆからも放熱される。
【０１１１】
同時に安定器１２の下部に籠もる熱は、第１、第２の遮熱板１３ｊ、１３ｋにより２重に遮熱され、下方のランプ等に対する熱的な影響を与えことが防止される。
【０１１２】
一方、各ランプ１１の熱は対流によって上方に向かって流れ、ソケット１１ａを設けたランプの支持部１５に達し、支持部に連通して形成された大きな第２の放熱孔１３ｉから外部に放熱される。
【０１１３】
また、ランプの支持部１５には第２の遮熱板１３ｋが設けられ、さらに、その上方には第１の遮熱板１３ｊが設けられており、上方に向かう熱は２重の遮熱板によって遮断される。ランプ１１に近い第２の遮熱板１３ｋは、第２の放熱孔１３ｉの角孔の略中間に位置し、外方に面しているので外気によって冷却される。
【０１１４】
これにより、ランプの温度上昇が抑制され、さらに第１、第２の遮熱板１３ｊ、１３ｋ
で上方への熱の伝達が抑制され、安定器１２に熱的な影響を与えることが防止される。
【０１１５】
上記により、個数の多いランプ及び安定器を有する多灯式の照明装置であっても、器具
内部の熱を効率よく逃がし、安定器自体の温度低減を図ることができ、同時にランプの温度上昇も抑制することができる。
【０１１６】
本実施形態において、昇降装置付き照明装置に適用したが、昇降装置を有さない通常のダウンライト形の照明装置に適用してもよい。
【０１１７】
昇降装置を有さない照明装置では、手作業で照明器具１０を持ち上げ、天井に設置された装置本体２１内に収納し設置する。
【０１１８】
この場合も、照明器具全体がバランスのとれたよい状態となっており、手で持ち上げる際に不用意に照明器具が傾いたりしないために施工がし易くなる。
【０１１９】
また、安定器収納体１３に傾斜したガイド部１３ｄ、１３ｄを形成したので、照明器具
１０を持ち上げて装置本体２１内に収納する際において、万が一照明器具と装置本体とが接触しても、引っ掛かることがなく円滑に収納させることができる等、昇降装置を有さない照明装置においても、昇降装置付き照明装置と同様の作用効果を奏することができる。
【０１２０】
本実施形態によれば、３個の安定器１２を円周に沿って略等間隔に配置し、重心Ｇを安
定器収納体１３の略円筒中心軸Ｘ−Ｘ上に位置させてバランスのよい安定器収納体となすと共に、反射鏡１４及びランプ１１を含めた照明器具１０全体がバランスのとれたよい状態となっており、昇降の際に照明器具が傾いたり横揺れ等を起こすことがなく、照明器具１０が装置本体２１に円滑かつ確実に収納される。
【０１２１】
安定器収納体１３を円筒状に構成したので、図１４に示すような角筒状でないために突
出した角部がなく引っ掛かることもない。
【０１２２】
安定器収納体１３の上端及び下端外縁部に傾斜したガイド部１３ｄ、１３ｄを形成した
ので、照明器具１０の昇降の際において、万が一照明器具と装置本体とが接触しても、引っ掛かることがなく円滑に昇降させることができる。
【０１２３】
安定器収納体１３の外面に形成された第１の放熱孔１３ｈは横長の角孔で構成したので、孔に突出物が引っ掛かり難くなり、さらに円滑に昇降させることができる。
【０１２４】
安定器１２に対応して円周方向に沿う長孔を多数形成したので、安定器から発生する熱を効率よく外部に放熱することができる。
【０１２５】
安定器１２の熱は、第１、第２の遮熱板１３ｊ、１３ｋにより２重に遮熱され、下方のランプ等に対する熱的な影響を与えことが防止される。
【０１２６】
各ランプ１１の熱はランプの支持部１５に連通して形成された大きな第２の放熱孔１３ｉから効率よく外部に放熱される。
【０１２７】
ランプの支持部１５には第２の遮熱板１３ｋが設けられ、さらに、その上方には第１の遮熱板１３ｊが設けられており、上方に向かう熱は２重の遮熱板によって遮断される。
【０１２８】
第２の遮熱板１３ｋは、第２の放熱孔１３ｉから外方に面しているので外気によって冷
却される。
【０１２９】
安定器１２の二次側配線は金属ケース１２ａの下方から導出し、異極線Ｒ１、Ｒ２をケースの左右に分けて配線したので、電気的雑音の上昇を抑制することができる。
【０１３０】
本実施形態では取付部材１３ｅが装置本体２１の天板ではなく支柱２１ｄの中間部に位置して設けられているので、吊りボルト４０との連結作業が比較的低い位置で行うことができ施工が容易になる。
【０１３１】
取付部材１３ｅの支持孔１３ｆは長孔になっているので、吊りボルト４０と天井取付孔３０ａが多少ずれていても、長孔の長手寸法の範囲内で調整して支持することができ、装置本体２１が変形することがなく設置される。
【０１３２】
また、装置本体２１の化粧枠となる下枠２１ｂと、天井面との間に隙間が形成されることがなく、照明装置として見栄えが悪くなることがない。
【０１３３】
以上、本発明の好適な実施形態を説明したが、本発明は上述の実施形態に限定されるこ
となく、本発明の要旨を逸脱しない範囲内において、種々の設計変更を行うことができる。
【図面の簡単な説明】
【０１３４】
【図１】本発明の実施形態における照明器具の正面図。
【図２】同じく安定器収納体の本体ケースを削除し一部を切り欠いて示す照明器具の正面図。
【図３】同じく照明器具の上面図。
【図４】同じく図２のＡ−Ａ線に沿う断面図。
【図５】同じく照明器具の下面図。
【図６】同じく安定器収納体の本体ケースの正面図。
【図７】本発明の実施形態における照明装置の装置本体の正面図。
【図８】同じく照明装置の装置本体の側面図。
【図９】同じく照明装置の装置本体を天井に設置する状態を示す説明図。
【図１０】同じく照明装置の装置本体を天井に設置した状態を示す説明図。
【図１１】同じく照明器具を装置本体に設置する状態を示す説明図で、（ａ）は昇降部を降ろし照明器具と連結した状態を示す図、（ｂ）は（ａ）のＢ部を拡大して示す図。
【図１２】本発明の実施形態における照明装置の正面図。
【図１３】同じく照明装置における装置本体の取付部材を示すもので、（ａ）は取付片を水平にした状態を、一部を切り欠いて示す側面図、（ｂ）は取付片を垂直にした状態を示す側面図。
【図１４】従来の照明装置を示し、（ａ）は天井へ設置した状態を示す斜視図、（ｂ）は安定器ボックスの横断面図。
【符号の説明】
【０１３５】
１０  照明器具
１１  光源
１２  安定器
１３  安定器収納体
１４  反射鏡
Ｇ  重心
Ｘ−Ｘ  円筒中心軸
【図１】
2007035351.tif 000003
【図２】
2007035351.tif 000004
【図３】
2007035351.tif 000005
【図４】
2007035351.tif 000006
【図５】
2007035351.tif 000007
【図６】
2007035351.tif 000008
【図７】
2007035351.tif 000009
【図８】
2007035351.tif 000010
【図９】
2007035351.tif 000011
【図１０】
2007035351.tif 000012
【図１１】
2007035351.tif 000013
【図１２】
2007035351.tif 000014
【図１３】
2007035351.tif 000015
【図１４】
2007035351.tif 000016